(57)【特許請求の範囲】
【請求項１】
音響信号を取得する取得部と、
前記音響信号の明瞭度を調整する程度を示す調整値を受け付ける受付部と、
前記受付部が受け付けた前記調整値が第１範囲内の値である場合に前記音響信号に対して行う調整処理として第１調整処理を特定し、前記調整値が前記第１範囲と異なる第２範囲内の値である場合に前記調整処理として第２調整処理を特定する調整処理特定部と、
前記調整処理特定部により前記第１調整処理が特定された場合に、前記音響信号に対して前記調整値に応じて所定の周波数成分の利得を変化させるイコライザー処理を行うイコライザーと、
前記調整処理特定部により前記第２調整処理が特定された場合に、前記音響信号に対して前記調整値に応じて所定の周波数成分の倍音信号を生成して付加するエンハンサー処理を行うエンハンサーと
を備え、
前記イコライザーは、前記音響信号に含まれる複数の周波数成分の一部である第１周波数帯域の前記音響信号に対し、前記イコライザー処理を行い、
前記エンハンサーは、前記音響信号に含まれる前記周波数成分の一部であって、前記第１周波数帯域と異なる第２周波数帯域の前記音響信号に対し、前記エンハンサー処理を行うことを特徴とする音響信号処理装置。
【請求項２】
前記エンハンサーは、前記調整値が前記第２範囲内の第３調整値に設定されているときに、前記第２範囲内の第４調整値を受け付けた場合に、前記音響信号に含まれる第２周波数帯域内の第７周波数の第７周波数成分と、前記第２周波数帯域内の第８周波数の第８周波数成分に対し、倍音付加の程度の異なる前記エンハンサー処理を行うことを特徴とする請求項１に記載の音響信号処理装置。
【請求項３】
音響信号を取得する取得部と、
前記音響信号の明瞭度を調整する程度を示す調整値を受け付ける受付部と、
前記受付部が受け付けた前記調整値が第１範囲内の値である場合に前記音響信号に対して行う調整処理として第１調整処理を特定し、前記調整値が前記第１範囲と異なる第２範囲内の値である場合に前記調整処理として第２調整処理を特定する調整処理特定部と、
前記調整処理特定部により前記第１調整処理が特定された場合に、前記音響信号に対して前記調整値に応じて所定の周波数成分の利得を変化させるイコライザー処理を行うイコライザーと、
前記調整処理特定部により前記第２調整処理が特定された場合に、前記音響信号に対して前記調整値に応じて所定の周波数成分の倍音信号を生成して付加するエンハンサー処理を行うエンハンサーと
を備え、
前記調整処理特定部は、前記受付部が受け付けた前記調整値が前記第１範囲および前記第２範囲に比べて大きい調整値の範囲である第３範囲内の値である場合に、前記調整処理として第３調整処理を特定し、
前記イコライザーは、前記第３調整処理が特定された場合に、前記第１範囲の調整値が設定された場合に比べて減衰量の大きい前記イコライザー処理を行い、
前記エンハンサーは、前記第３調整処理が特定された場合に、前記イコライザー処理が施された前記音響信号に対し、さらに、前記第２範囲の調整値が設定された場合に比べて倍音付加の程度の大きい前記エンハンサー処理を行うことを特徴とする音響信号処理装置。
【請求項４】
前記イコライザーは、前記第３調整処理が特定された場合に、前記第３部分周波数帯域に対しては、前記第１調整処理における最大の減衰量で前記イコライザー処理を行うことを特徴とする請求項３に記載の音響信号処理装置。
【請求項５】
音響信号を取得する取得ステップと、
前記音響信号の明瞭度を調整する程度を示す調整値を受け付ける受付ステップと、
前記受付ステップにおいて受け付けた前記調整値が第１範囲内の値である場合に前記音響信号に対して行う調整処理として第１調整処理を特定し、前記調整値が前記第１範囲と異なる第２範囲内の値である場合に前記調整処理として第２調整処理を特定する処理特定ステップと、
前記処理特定ステップにおいて前記第１調整処理が特定された場合に、前記音響信号に対して前記調整値に応じて所定の周波数成分の利得を変化させるイコライザー処理を行う第１調整処理ステップと、
前記処理特定ステップにおいて前記第２調整処理が特定された場合に、前記音響信号に対して前記調整値に応じて所定の周波数成分の倍音信号を生成して付加するエンハンサー処理を行う第２調整処理ステップと
を含み、
前記第１調整処理ステップは、前記音響信号に含まれる複数の周波数成分の一部である第１周波数帯域の前記音響信号に対し、前記イコライザー処理を行い、
前記第２調整処理ステップは、前記音響信号に含まれる前記周波数成分の一部であって、前記第１周波数帯域と異なる第２周波数帯域の前記音響信号に対し、前記エンハンサー処理を行うことを特徴とする音響信号処理方法。
【請求項６】
音響信号を取得する取得ステップと、
前記音響信号の明瞭度を調整する程度を示す調整値を受け付ける受付ステップと、
前記受付ステップにおいて受け付けた前記調整値が第１範囲内の値である場合に前記音響信号に対して行う調整処理として第１調整処理を特定し、前記調整値が前記第１範囲と異なる第２範囲内の値である場合に前記調整処理として第２調整処理を特定する処理特定ステップと、
前記処理特定ステップにおいて前記第１調整処理が特定された場合に、前記音響信号に対して前記調整値に応じて所定の周波数成分の利得を変化させるイコライザー処理を行う第１調整処理ステップと、
前記処理特定ステップにおいて前記第２調整処理が特定された場合に、前記音響信号に対して前記調整値に応じて所定の周波数成分の倍音信号を生成して付加するエンハンサー処理を行う第２調整処理ステップと
を含み、
前記処理特定ステップは、前記受付ステップにおいて受け付けた前記調整値が前記第１範囲および前記第２範囲に比べて大きい調整値の範囲である第３範囲内の値である場合に、前記調整処理として第３調整処理を特定し、
前記第１調整処理ステップは、前記第３調整処理が特定された場合に、前記第１範囲の調整値が設定された場合に比べて減衰量の大きい前記イコライザー処理を行い、
前記第２調整処理ステップは、前記第３調整処理が特定された場合に、前記イコライザー処理が施された前記音響信号に対し、さらに、前記第２範囲の調整値が設定された場合に比べて倍音付加の程度の大きい前記エンハンサー処理を行うことを特徴とする音響信号処理方法。
【請求項７】
請求項５又は請求項６に記載された方法をコンピュータに実現させるためのプログラム。
【発明の詳細な説明】
【技術分野】
【０００１】
本発明は、音響信号処理装置、音響信号処理方法およびプログラムに関する。
【背景技術】
【０００２】
従来、音響信号の所定の周波数成分に対して倍音を生成して音響信号に付加することで、音の輪郭を明確にして音の明瞭度を向上させる装置が知られている。このような装置として、例えば、特許文献１には、音響信号の基本波の倍音を音響信号に付加するに際し、生成された複数の倍音信号それぞれのゲインを調整することにより、再生特性に基づいて生じるゲインの変動が調整された理想的な倍音構成の音響信号を再生する装置が開示されている。
【０００３】
また、音響信号を再生する再生装置や音響信号を出力するスピーカーの性能、さらには音響信号を再生する場所の騒音や音響特性によっては、音響信号の特定の周波数帯域にノイズやハウリングが発生したり、特定の周波数帯域において音響信号の明瞭度が悪くなる場合がある。このような場合は、グラフィックイコライザーなどで音響信号の特定の周波数帯域を減衰させることにより、音響信号の明瞭度を向上させるといった手法も知られている。
【先行技術文献】
【特許文献】
【０００４】
【特許文献１】特開２００６−２２２８６７号公報
【発明の概要】
【発明が解決しようとする課題】
【０００５】
以上のように、音響信号の明瞭度を上げるための処理として、倍音を付加するエンハンサー処理と、特定の周波数帯域を減衰させるイコライザー処理が知られており、これらを調整することにより明瞭度を向上させることが可能である。
【０００６】
しかしながら、倍音付加と所定の周波数成分の減衰の両方の処理により明瞭度を向上させる場合には、倍音の付加の程度と所定の周波数成分の減衰の程度をそれぞれ別個に調整することになり、いずれの処理をどの程度実行するかは、操作者の経験に委ねられることとなる。このため、経験の浅い操作者にとっては、調整が困難であるという問題があった。
【０００７】
本発明は、上記に鑑みてなされたものであって、簡単な操作で音響信号の明瞭度を向上させるための適切な処理を実行することのできる音響信号処理装置、音響信号処理方法およびプログラムを提供することを目的とする。
【課題を解決するための手段】
【０００８】
上述した課題を解決し、目的を達成するために、本発明は、音響信号処理装置であって、音響信号を取得する取得部と、前記音響信号の明瞭度を調整する程度を示す調整値を受け付ける受付部と、前記受付部が受け付けた前記調整値が第１範囲内の値である場合に前記音響信号に対して行う調整処理として第１調整処理を特定し、前記調整値が前記第１範囲と異なる第２範囲内の値である場合に前記調整処理として第２調整処理を特定する調整処理特定部と、前記調整処理特定部により前記第１調整処理が特定された場合に、前記音響信号に対して前記調整値に応じて所定の周波数成分の利得を変化させるイコライザー処理を行うイコライザーと、前記調整処理特定部により前記第２調整処理が特定された場合に、前記音響信号に対して前記調整値に応じて所定の周波数成分の倍音信号を生成して付加するエンハンサー処理を行うエンハンサーとを備え、前記イコライザーは、前記音響信号に含まれる複数の周波数成分の一部である第１周波数帯域の前記音響信号に対し、前記イコライザー処理を行い、前記エンハンサーは、前記音響信号に含まれる前記周波数成分の一部であって、前記第１周波数帯域と異なる第２周波数帯域の前記音響信号に対し、前記エンハンサー処理を行うことを特徴とする。
【０００９】
また、本発明は、音響信号処理方法であって、音響信号を取得する取得ステップと、前記音響信号の明瞭度を調整する程度を示す調整値を受け付ける受付ステップと、前記受付ステップにおいて受け付けた前記調整値が第１範囲内の値である場合に前記音響信号に対して行う調整処理として第１調整処理を特定し、前記調整値が前記第１範囲と異なる第２範囲内の値である場合に前記調整処理として第２調整処理を特定する処理特定ステップと、前記処理特定ステップにおいて前記第１調整処理が特定された場合に、前記音響信号に対して前記調整値に応じて所定の周波数成分の利得を変化させるイコライザー処理を行う第１調整処理ステップと、前記処理特定ステップにおいて前記第２調整処理が特定された場合に、前記音響信号に対して前記調整値に応じて所定の周波数成分の倍音信号を生成して付加するエンハンサー処理を行う第２調整処理ステップとを含み、前記第１調整処理ステップは、前記音響信号に含まれる複数の周波数成分の一部である第１周波数帯域の前記音響信号に対し、前記イコライザー処理を行い、前記第２調整処理ステップは、前記音響信号に含まれる前記周波数成分の一部であって、前記第１周波数帯域と異なる第２周波数帯域の前記音響信号に対し、前記エンハンサー処理を行うことを特徴とする。
【００１０】
また、本発明は、上記音響信号処理方法をコンピュータに実現させるためのプログラムである。
【発明の効果】
【００１１】
本発明によれば、簡単な操作で音響信号の明瞭度を向上させるための適切な処理を実行することができるという効果を奏する。
【図面の簡単な説明】
【００１２】
【図１】図１は、音響信号処理装置の構成を示すブロック図である。
【図２】図２は、調整指示部の外観図である。
【図３】図３は、イコライザーの詳細な機能構成を示すブロック図である。
【図４】図４は、エンハンサーの詳細な機能構成を示すブロック図である。
【図５】図５は、音響信号の調整処理にかかる機能構成を示すブロック図である。
【図６】図６は、調整処理決定テーブルのデータ構成を示す図である。
【図７】図７は、第１調整処理、第２調整処理および第３調整処理を説明するための図である。
【図８】図８は、音響信号処理を示すフローチャートである。
【図９】図９は、調整値の変化に伴う、調整処理の変化を示す図である。
【発明を実施するための形態】
【００１３】
以下に添付図面を参照して、音響信号処理装置、音響信号処理方法およびプログラムの実施の形態を詳細に説明する。
【００１４】
図１は、実施の形態にかかる音響信号処理装置１の構成を示すブロック図である。音響信号処理装置１は、入力部１００と、イコライザー１１０と、エンハンサー１２０と、出力部１３０と、調整指示部１４０と、制御部１５０と、記憶部１６０とを備えている。
【００１５】
入力部１００に入力された音響信号は、イコライザー１１０に入力される。なお、ここで、音響信号は、例えばマイクにより集音された人間の声などである。イコライザー１１０は、入力された音響信号に対し、イコライザー処理を実行する。ここで、イコライザー処理とは、音響信号の所定の周波数成分の利得を変化させる処理である。
【００１６】
エンハンサー１２０は、入力された音響信号に対し、エンハンサー処理を実行する。ここで、エンハンサー処理とは、音響信号の所定の周波数成分を基本周波数として、倍音信号を生成し、音響信号に対し生成した倍音信号を付加する処理である。エンハンサー処理およびイコライザー処理は、いずれも音響信号の明瞭度を向上させるための処理である。
【００１７】
調整指示部１４０は、操作者によって操作されるハードウェアである。操作者が調整指示部１４０を操作することにより、明瞭度を調整する程度を示す調整値を変更、設定することができる。図２に示すように、調整指示部１４０は、例えば回転式のエンコーダであり、調整指示部１４０の出力は、制御部１５０に入力される。本実施の形態においては、調整指示部１４０には、０〜１０の調整値が割り当てられており、操作者は、これら各調整値を設定することができる。
【００１８】
制御部１５０は、音響信号処理装置１全体を制御する。制御部１５０はまた、調整指示部１４０において設定された調整値に基づいて、音響信号に対して実行すべき調整処理の種類を特定する。ここで、調整処理は、音響信号の明瞭度を向上させる処理である。本実施の形態の音響信号処理装置１が行う調整処理の種類としては、第１処理、第２処理および第３処理の３つの種類がある。第１処理は、イコライザー１１０によるイコライザー処理であり、第２処理は、エンハンサー１２０によるエンハンサー処理であり、第３処理は、イコライザー処理とエンハンサー処理の両方の処理を施す処理である。
【００１９】
記憶部１６０は、各種情報を記憶している。記憶部１６０は、例えば制御部１５０により実行されるプログラムや、制御部１５０により参照されるデータ等を記憶している。
【００２０】
図３は、イコライザー１１０の詳細な機能構成を示すブロック図である。イコライザー１１０は、２素子２次ＩＩＲ（Ｉｎｆｉｎｉｔｅ  Ｉｍｐｕｌｓｅ  Ｒｅｓｐｏｎｓｅ）フィルタであり、入力される２つの信号を加算器１１１，１１２と、入力される信号を１クロック遅延させる遅延素子１１３，１１４と、入力される信号に対しフィルタ係数を乗算する乗算器１１５〜１１９とを有している。乗算器１１５，１１６には、それぞれフィルタ係数ａ０，ａ１が設定されており、乗算器１１７〜１１９には、それぞれフィルタ係数ｂ０〜ｂ２が設定されている。
【００２１】
図４は、エンハンサー１２０の詳細な機能構成を示すブロック図である。エンハンサー１２０は、ハイパスフィルタ（ＨＰＦ）１２１と、倍音生成部１２２と、乗算器１２３と、加算器１２４とを有している。
【００２２】
ＨＰＦ１２１は、入力された音響信号から所定周波数以下の周波数成分をカットする。倍音生成部１２２は、ＨＰＦ１２１による処理後の音響信号に対するクリップ処理を行い、倍音信号を生成する。乗算器１２３は、生成された倍音信号に所定の割合を乗算する。なお、本実施の形態の乗算器１２３は、制御部１５０の制御の下、調整値に応じて０％−７０％の割合を乗算する。加算器１２４は、乗算器１２３による乗算後の倍音信号をエンハンサー１２０に入力された音響信号に付加する。
【００２３】
なお、イコライザー１１０およびエンハンサー１２０は、いずれもＤＳＰ（Ｄｉｇｉｔａｌ  Ｓｉｇｎａｌ  Ｐｒｏｃｅｓｓｉｎｇ）であり、ソフトウェアにより実現される。
【００２４】
図５は、音響信号の調整処理にかかる機能構成を示すブロック図である。制御部１５０は、調整処理にかかる構成として、受付部１５１と、調整処理特定部１５２と、減衰量決定部１５３と、倍音率決定部１５４とを有している。また、記憶部１６０は、調整処理決定テーブル１６１を記憶している。
【００２５】
図６は、調整処理決定テーブル１６１のデータ構成を示す図である。調整処理決定テーブル１６１は、調整値の設定範囲と、調整処理の種類とを対応付けて記憶している。具体的には、第１範囲には、第１調整処理としてのイコライザー処理が対応付けられている。第２範囲には、第２処理としてのエンハンサー処理が対応付けられている。また、第３範囲には、第３処理としてのイコライザー処理とエンハンサー処理の両方の処理を施す処理が対応付けられている。
【００２６】
また、調整指示部１４０の操作により設定される調整値の範囲を０〜１０としたとき、第１範囲は調整値０〜３の範囲、第２範囲は調整値３〜５の範囲、第３範囲は調整値５〜１０の範囲である。なお、各調整範囲の境界位置の調整値および調整範囲の幅は実施の形態に限定されるものではない。設計者等は、適切な設定範囲を設定することができる。
【００２７】
図５に戻り、受付部１５１は、ユーザによる調整指示部１４０の操作に応じた調整値の設定指示を受け付ける。調整処理特定部１５２は、受付部１５１が受け付けた設定指示に示される調整値に基づいて、調整処理決定テーブル１６１を参照することにより、調整処理の種類を特定する。なお、調整処理特定部１５２は、調整処理として、第１調整処理、第２調整処理または第３調整処理のいずれかの調整処理を特定する。
【００２８】
図７は、第１調整処理、第２調整処理および第３調整処理を説明するための図である。第１調整処理は、イコライザー１１０によるイコライザー処理であり、入力された音響信号に含まれる周波数帯域のうち一部の周波数帯域である第１周波数帯域に対してのみイコライザー処理を実行する。図７に示すように、第１周波数帯域は、低周波数側から順に第１部分周波数帯域、第２部分周波数帯域および第３部分周波数帯域の３つの周波数帯域を含んでいる。以下、第１部分周波数帯域、第２部分周波数帯域および第３部分周波数帯域をそれぞれ低域、中域および高域と称することとする。低域は、１００Ｈｚを含む周波数帯域である。中域は、６００Ｈｚを含む周波数帯域である。高域は、１４ｋＨｚを含む周波数帯域である。
【００２９】
第１調整処理は、第１範囲内の調整値に応じた減衰量だけゲインを減衰させる処理である。第１調整処理においては、図７に矢印で示すように、調整値の増加に伴い、より大きい減衰量が決定され、決定された減衰量でのイコライザー処理が実行される。さらに、同一の調整値に対して定まる減衰量は、周波数成分毎に異なっている。低域においては、周波数が高くなる程、同一調整値に対して定まる減衰量が小さくなる。例えば、調整値３に対し、１００Ｈｚの減衰量が−６ｄＢに設定されているのに対し、１２０Ｈｚの減衰量は−３ｄＢに設定されている。
【００３０】
また、中域においては、中心周波数の周波数成分が、同一調整値に対して定まる減衰量が最も大きくなる。例えば、調整値３に対し、６００Ｈｚの減衰量が−６ｄＢに設定されている。なお、中域の周波数成分は、第１調整範囲内の調整値に応じた減衰量だけ減衰されるが、第３調整処理においては、第１調整処理における最大の減衰量を維持し、減衰量を変化させない。これは、例えば中域の過度な減衰により、人の声の周波数帯域が犠牲になり、かえって明瞭度が落ちるのを避けるためである。
【００３１】
また、高域においては、周波数が高くなる程、同一調整値に対して定まる減衰量が大きくなる。例えば、調整値３に対し、１２ｋＨｚの減衰量が−３ｄＢに設定されているのに対し、１８ｋＨｚの減衰量は−６ｄＢに設定されている。なお、第１調整処理においては、減衰量の最大値は−６ｄＢに設定されている。これは、例えば低中域の過度な減衰により、音声帯域の周波数帯が犠牲になり、音質の劣化に繋がるのを避けるためである。
【００３２】
次に、第２調整処理について説明する。第２調整処理は、エンハンサー１２０によるエンハンサー処理であり、入力された音響信号に含まれる周波数帯域のうち一部の周波数帯域である第２周波数帯域に対してのみエンハンサー処理を実行する。図７に示すように、第２周波数帯域は、５ｋＨｚを含む周波数帯域である。第２周波数帯域は、より詳しくは、３．３ｋＨｚから６ｋＨｚの周波数帯域である。
【００３３】
さらに、第２調整処理は、第２範囲内の調整値に応じた割合だけ倍音を付加する処理である。図７に矢印で示すように、調整値の増加に伴い、より大きい割合が決定され、決定された割合で倍音が付加されるようなエンハンサー処理が実行される。さらに、同一の調整値に対して定まる倍音付加の割合は、周波数成分毎に異なっている。第２調整処理においては、倍音付加の割合の最大値は３０％に設定されている。
【００３４】
次に、第３調整処理について説明する。第３調整処理は、イコライザー処理とエンハンサー処理の両方の処理を実行する処理である。第３調整処理は、さらに明瞭度を向上させるべく、声質の個体差に起因した効果の効き目を調整する微調整処理である。
【００３５】
第３調整処理においては、まず第１調整処理と同様に第１周波数帯域の低域および高域の周波数成分に対しイコライザー処理を実行する。なお、中域の周波数成分に対する処理は前述のように第１調整処理における最大の減衰量を維持し、減衰量を変化させない。また、図７に示すように、この場合の減衰量は、中域を除きいずれの周波数帯域においても、第１調整処理における減衰量に比べて大きいものとする。第３調整処理における減衰量の最大値は、−１２ｄＢに設定されている。
【００３６】
第３調整処理においては、イコライザー処理後の音響信号に対し、さらに第２調整処理と同様に、第２周波数帯域の周波数成分に対しエンハンサー処理を実行する。なお、図７に示すように、この場合の倍音付加の割合は、いずれの周波数帯域においても、第２調整処理における倍音付加の割合に比べて大きいものとする。第３調整処理における倍音付加の割合の最大値は７０％に設定されている。
【００３７】
ここで、音響信号の周波数特性について説明する。一般に人の声の周波数帯域は、おおよそ１５０Ｈｚから６００Ｈｚである。このような音響信号の各周波数帯域を減衰させた場合および倍音を付加させたとき、以下のような効果があることが経験上わかっている。
【００３８】
すなわち、７５Ｈｚを中心とした帯域を減衰させると、マイクハンドリングノイズを抑制することができる。１００Ｈｚを中心とした帯域を減衰させると、ノイズや、ハウリングを抑制することができ、音がクリアに感じられる。１５０Ｈｚを中心とした帯域を減衰させると、音のこもりが取れたように感じられ、「ボー」ハウリングを抑制することができる。ただし減衰させ過ぎると音が薄く感じられる。
【００３９】
６００Ｈｚを中心とした帯域を減衰させると、声の「もこもこ」感を低減することができる。１ｋＨｚを中心とした帯域を減衰させると、「カンカン」とした音が低減されるように感じられる。７ｋＨｚを中心とした帯域を減衰させると、サ行のノイズを抑制することができる。１０ｋＨｚを中心とした帯域を減衰させると、やはりサ行のノイズを抑制することができる。また、ハウリングを抑制することができる。
【００４０】
また、３．３ｋＨｚ〜６ｋＨｚの音に対して倍音を付加すると、音が前に出てきてボーカルが引き出されたように感じられる。ただし倍音付加をし過ぎるとうるさく感じられる。
【００４１】
以上のことから、図７を参照しつつ説明したように、イコライザー処理およびエンハンサー処理を実行すべき周波数帯域を制限することとした。これにより、各調整処理により、音の明瞭度を向上させることができる。
【００４２】
図５に戻り、減衰量決定部１５３は、調整処理特定部１５２により第１調整処理または第３調整処理が特定された場合に、受付部１５１が受け付けた調整値に基づいて、減衰量を決定する。具体的には、減衰量決定部１５３は、周波数毎に予め設定された演算式を用いることにより、調整値から周波数成分毎の減衰量を算出する。ここで、演算式は、調整値と減衰量の関係を示す式である。また、他の例としては、記憶部１６０は、調整値と減衰量の対応テーブルを記憶しており、減衰量決定部１５３は、この対応テーブルを参照することにより、調整値から減衰量を決定してもよい。
【００４３】
倍音率決定部１５４は、調整処理特定部１５２により第２調整処理または第３調整処理が特定された場合に、受付部１５１が受け付けた調整値に基づいて、倍音付加の割合を決定する。倍音率決定部１５４は、減衰量決定部１５３と同様に、演算式を用いることにより、調整値から倍音の割合を決定してもよく、また対応テーブルを参照することにより、倍音の割合を決定することとしてもよい。
【００４４】
図８は、音響信号処理装置１による音響信号処理を示すフローチャートである。音響信号処理においては、まず入力部１００に音響信号が入力され（ステップＳ１００）、制御部１５０の受付部１５１は、操作者による調整指示部１４０の操作に応じて調整値の設定指示を受け付ける（ステップＳ１０１）。
【００４５】
次に、調整処理特定部１５２は、まず記憶部１６０に記憶されている調整処理決定テーブル１６１を参照し、設定指示に示される調整値が、第１〜第３範囲のうちいずれの設定範囲に属するかを特定する。そして、特定した設定範囲に対応付けられている調整処理を特定する。具体的には、調整処理特定部１５２は、調整値が第１範囲に含まれる場合には（ステップＳ１０２，第１範囲）、第１調整処理を特定する（ステップＳ１１０）。
【００４６】
調整処理特定部１５２は、調整値が第２範囲に含まれる場合には（ステップＳ１０２，第２範囲）、第２調整処理を特定する（ステップＳ１２０）。調整処理特定部１５２はまた、調整値が第３範囲に含まれる場合には（ステップＳ１０２，第３範囲）、第３調整処理を特定する（ステップＳ１３０）。
【００４７】
ステップＳ１１０において、第１調整処理が特定されると、次に、減衰量決定部１５３は、調整値に基づいて、各周波数成分の減衰量を決定する（ステップＳ１１１）。次に、イコライザー１１０は、決定された減衰量のイコライザー処理を実行する（ステップＳ１１２）。以上で処理が完了する。
【００４８】
ステップＳ１２０において、第２調整処理が特定されると、次に、倍音率決定部１５４は、調整値に基づいて、各周波数成分の倍音付加の割合を決定する（ステップＳ１２１）。次に、エンハンサー１２０は、決定された割合で倍音を付加するエンハンサー処理を実行する（ステップＳ１２２）。以上で処理が完了する。
【００４９】
また、ステップＳ１３０において、第３調整処理が特定されると、次に、減衰量決定部１５３は、調整値に基づいて、各周波数成分の減衰量を決定し（ステップＳ１３１）、イコライザー１１０は、決定された減衰量のイコライザー処理を実行する（ステップＳ１３２）。さらに、倍音率決定部１５４は、調整値に基づいて、各周波数成分の倍音付加の割合を決定し（ステップＳ１３３）、エンハンサー１２０は、決定された割合で倍音を付加するエンハンサー処理を実行する（ステップＳ１３４）。以上で処理が完了する。
【００５０】
図９は、調整値の変化に伴う、調整処理の変化を示す図である。図９に示すように、調整指示部１４０の調整値が０に設定されている場合には、音響信号の周波数成分に対する調整処理は実行されないため、図９右のグラフに示すように、周波数特性はフラットな状態となる。
【００５１】
操作者は、この状態の音響信号を実際に聴いてみるなどし、マイクのタッチノイズ、ハウリングなどが気になる場合や、明瞭度を向上させたい場合には、調整指示部１４０を操作し、調整値を上げる。
【００５２】
調整指示部１４０が操作され、調整値が例えば第１範囲内の値である１に設定されると、イコライザー処理が実行され、第１周波数帯域に含まれる低域、中域および高域の周波数成分がカットされる。このときたとえば、低域では、１００Ｈｚの周波数成分は−２ｄＢ減衰され、１２０Ｈｚの周波数成分は−１ｄＢ減衰される。中域では、６００Ｈｚの周波数成分は−３．０ｄＢ減衰される。高域では、１８ｋＨｚの周波数成分は−３．５ｄＢ減衰され、１２ｋＨｚの周波数成分は−０．５ｄＢ減衰される。
【００５３】
操作者は、さらに明瞭度を向上させることを希望する場合には、調整指示部１４０を操作し、調整値をさらに上げる。これにより、調整値が例えば第１範囲内の値である３に設定されると、イコライザー処理が実行され、第１周波数帯域に含まれる低域、中域および高域の周波数成分が更にカットされる。このときたとえば、低域では、１００Ｈｚの周波数成分は−６ｄＢ減衰され、１２０Ｈｚの周波数成分は−３ｄＢ減衰される。中域では、６００Ｈｚの周波数成分は−６ｄＢ減衰される。高域では、１８ｋＨｚの周波数成分は−６ｄＢ減衰され、１２ｋＨｚの周波数成分は−３ｄＢ減衰される。
【００５４】
操作者は、さらに明瞭度を向上させることを希望する場合には、調整指示部１４０を操作し、調整値をさらに上げる。これにより、調整値が例えば第２範囲内の値である５に設定されると、エンハンサー処理が実行され、第２周波数帯域の周波数成分に対し倍音が付加される。
【００５５】
この状態において、操作者は、明瞭度がまだ足りないと感じる場合には、調整指示部１４０を操作し、調整値をさらに上げる。これにより、調整値が例えば第３範囲内の値である１０に設定されると、さらなるイコライザー処理およびエンハンサー処理が実行され、低域および高域の周波数成分がカットされ、第２周波数帯域に対しさらに倍音が付加される。
【００５６】
以上のように、本実施の形態の音響信号処理装置１においては、単一の調整指示部１４０の操作により設定される調整値に応じて、種類の異なる調整処理を音響信号に対して施すことができるので、操作者は、煩雑な処理を行うことなく、容易に音響信号の明瞭度を向上させることができる。
【００５７】
例えば、第１範囲の調整値が設定されると、低域と高域を減衰させるので、音が不自然になることなく明瞭度を向上させることができる。引き続き調整指示部１４０を操作し、調整値をより大きい値に変更すると、倍音を付加するので、明瞭度をさらに向上させることができる。さらに調整指示部１４０を操作し、調整値をより大きい値に変更すると、倍音を付加するとともに低域と高域をより減衰させるので、明瞭度をさらに向上させることができる。
【符号の説明】
【００５８】
１  音響信号処理装置
１００  入力部
１１０  イコライザー
１２０  エンハンサー
１３０  出力部
１４０  調整指示部
１５０  制御部
１５１  受付部
１５２  調整処理特定部
１５３  減衰量決定部
１５４  倍音率決定部
１６０  記憶部
１６１  調整処理決定テーブル
【図１】
0005942504.tif 000002
【図２】
0005942504.tif 000003
【図３】
0005942504.tif 000004
【図４】
0005942504.tif 000005
【図５】
0005942504.tif 000006
【図６】
0005942504.tif 000007
【図７】
0005942504.tif 000008
【図８】
0005942504.tif 000009
【図９】
0005942504.tif 000010